(57)【要約】【課題】システムパラメータの設定をディスプレイに表示される画面上で行う場合でも、ユーザによる安易な操作を防止し、システムパラメータの保護を図ることにより、無用なトラブルを回避する。【解決手段】射出成形機Ｍの基本状態を決定するシステムパラメータを設定するに際し、システムパラメータの全部又は一部を異なる複数のグループＧｘ…に分類し、各パラメータを設定するための設定キーＫｓ…を、分類したグループＧｘ…の単位で画面Ｖｓに表示するとともに、パスワードの入力を条件に設定キーＫｓ…による設定を許可するようにした。【選択図】図１
2004155066.tif 000002
【特許請求の範囲】
【請求項１】
射出成形機の基本状態を決定するシステムパラメータを設定する射出成形機のシステムパラメータ設定方法において、システムパラメータの全部又は一部を異なる複数のグループに分類し、各パラメータを設定するための設定キーを、分類したグループの単位で画面に表示するとともに、パスワードの入力を条件に前記設定キーによる設定を許可するようにしたことを特徴とする射出成形機のシステムパラメータ設定方法。
【請求項２】
前記グループには、少なくとも組立調整に係わるグループ，機械仕様に係わるグループ，動作設定に係わるグループの一又は二以上を含むことを特徴とする請求項１記載の射出成形機のシステムパラメータ設定方法。
【請求項３】
前記グループを重要度に応じてランク分けし、各ランクに対する前記許可の条件を異ならせることを特徴とする請求項２記載の射出成形機のシステムパラメータ設定方法。
【請求項４】
前記組立調整に係わるグループと前記機械仕様に係わるグループに対しては二回のパスワード入力を条件とし、かつ前記動作設定に係わるグループに対しては一回のパスワード入力を条件として、前記設定キーによる設定を許可することを特徴とする請求項３記載の射出成形機のシステムパラメータ設定方法。
【請求項５】
前記二回のパスワード入力における二回目のパスワードは、設定キーのＯＮにより表示される入力ウィンドウから入力することを特徴とする請求項４記載の射出成形機のシステムパラメータ設定方法。
【請求項６】
前記二回のパスワード入力における一回目のパスワードと二回目のパスワードは、異なるパスワード又は同一のパスワードを用いることを特徴とする請求項４記載の射出成形機のシステムパラメータ設定方法。
【請求項７】
各グループ又は各ランクに対応した複数のパスワードを用意し、任意のパスワードの入力を条件に、当該任意のパスワードに対応したグループ又はランクに対する設定を許可することを特徴とする請求項３記載の射出成形機のシステムパラメータ設定方法。
【発明の詳細な説明】
【０００１】
【発明の属する技術分野】
本発明は、射出成形機の基本状態を決定するシステムパラメータを設定する射出成形機のシステムパラメータ設定方法に関する。
【０００２】
【従来の技術】
射出成形機では、センサの使用有無や指令に対するモータの回転方向など、基本状態を決定するシステムパラメータが設定されている。システムパラメータは、一つでも設定が異なると正常に動作できない重要なパラメータであるため、通常、コントローラの内部に、ユーザが触れることのないディップスイッチを設け、このディップスイッチの切換をもって設定を可能にしている。一方、コントローラの高性能化及び多機能化により、このようなシステムパラメータの設定（変更）が、ディスプレイに表示される画面上で行うことが可能になっている。この場合、ユーザが誤って画面を開き、さらに誤って設定を変更してしまう虞れも多分にあり、無用なトラブルを回避するためにも、ユーザによる安易な操作を防止する対策が必要になる。
【０００３】
従来、このような設定操作に対する対策としては、例えば、特開平５−４２５７６号公報で開示される射出成形機における設定操作の可／不可制御方法が知られている。この方法は、設定操作不許可モードになっている状態では、運転条件設定モード画像が呼び出されても、運転条件の設定（又は変更）操作を不能とし、この設定操作不許可モード状態下で暗証番号の入力モード画像を呼び出し、オペレータが予め登録された暗証番号と一致する暗証番号を入力すると、運転条件の設定を可能とする設定操作許可モードに遷移させるものである。
【特許文献１】
特開平５−４２５７６号公報
【０００４】
【発明が解決しようとする課題】
しかし、上述した従来の方法は、旧来からのいわゆる専用鍵を利用する方法から暗証番号を利用する方法に置換したものであり、他人による操作の防止や専用鍵の紛失防止においてはメリットを享受できるものの、オペレータが暗証番号を入力し、設定操作許可モードに遷移した場合には、オペレータ（ユーザ）による通常の操作が可能になるため、ユーザによる安易な操作を防止するための対策にはなっていない。
【０００５】
本発明は、このような従来の技術に存在する課題を解決したものであり、システムパラメータの設定をディスプレイに表示される画面上で行う場合でも、ユーザによる安易な操作を防止し、システムパラメータの保護を図ることにより、無用なトラブルを回避することができる射出成形機のシステムパラメータ設定方法の提供を目的とする。
【０００６】
【課題を解決するための手段及び実施の形態】
本発明に係る射出成形機のシステムパラメータ設定方法は、射出成形機Ｍの基本状態を決定するシステムパラメータを設定するに際し、システムパラメータの全部又は一部を異なる複数のグループＧｘ…に分類し、各パラメータを設定するための設定キーＫｓ…を、分類したグループＧｘ…の単位で画面Ｖｓに表示するとともに、パスワードの入力を条件に設定キーＫｓ…による設定を許可するようにしたことを特徴とする。
【０００７】
この場合、好適な実施の態様により、グループＧｘ…には、少なくとも組立調整に係わるグループＧｘ，機械仕様に係わるグループＧｙ，動作設定に係わるグループＧｚの一又は二以上を含ませることができるとともに、これらのグループＧｘ，Ｇｙ，Ｇｚを重要度に応じてランク分けし、各ランクに対する許可の条件を異ならせることができる。具体的には、組立調整に係わるグループＧｘと機械仕様に係わるグループＧｙに対しては二回のパスワード入力を条件とし、かつ動作設定に係わるグループＧｚに対しては一回のパスワード入力を条件として、設定キーＫｓ…による設定を許可することができる。この際、二回のパスワード入力における二回目のパスワードは、設定キーＫｓのＯＮにより表示される入力ウィンドウＷｊから入力することができる。なお、二回のパスワード入力における一回目のパスワードと二回目のパスワードは、異なるパスワードを用いてもよいし、同一のパスワードを用いてもよい。一方、各グループＧｘ…又は各ランクに対応した複数のパスワードを用意し、任意のパスワードの入力を条件に、当該任意のパスワードに対応したグループＧｘ…又はランクに対する設定を許可することもできる。
【０００８】
【実施例】
次に、本発明に係る好適な実施例を挙げ、図面に基づき詳細に説明する。
【０００９】
まず、本実施例に係るシステムパラメータ設定方法を実施できる射出成形機Ｍの構成について、図２及び図３を参照して説明する。
【００１０】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には側面パネル１３を起設し、この側面パネル１３にディスプレイユニット１５を配設する。このディスプレイユニット１５は、タッチパネル３を付設したカラー液晶ディスプレイ等のディスプレイ２を備え、このディスプレイユニット１５は、機台Ｍｂに内蔵したコントローラ２０（図３）に接続する。
【００１１】
図３は、コントローラ２０のブロック系統図を示す。２１はＣＰＵであり、このＣＰＵ２１には内部バス２２を介してチップセット２３を接続する。また、チップセット２３には、ＰＣＩバス等のローカルバスを用いたバスライン２４を接続してＨＭＩ（ヒューマン・マシン・インタフェース）制御系を構成する。このため、バスライン２４には、ＲＡＭ，ＲＯＭ等の各種メモリ類を総括する内部メモリ２５を接続する。さらに、バスライン２４には、表示インタフェース２６を介して上述したディスプレイユニット１５を接続するとともに、入出力インターフェイス２７を介してメモリカード等の記憶メディア２８に対する読出及び書込を行うドライブユニット２９を接続する。
【００１２】
一方、チップセット２３には、バスライン２４と同様のバスライン３０を接続してＰＬＣ（プログラマブル・ロジック・コントローラ）制御系を構成する。このため、バスライン３０には、スイッチ等の切換データＤｉをＣＰＵ２１に付与し、かつＣＰＵ２１から得る制御指令データＤｏを対応するアクチュエータに付与する入出力インターフェイス３１を接続するとともに、各種センサの検出信号Ｓｉを、アナログ−ディジタル変換してＣＰＵ２１に付与し、かつＣＰＵ２１から得る制御指令データをディジタル−アナログ変換して得た制御信号Ｓｏを対応するアクチュエータに付与する入出力インターフェイス３２を接続する。これにより、所定のフィードバック制御系及びオープンループ制御系が構成される。
【００１３】
したがって、前述した内部メモリ２５には、ＰＬＣプログラムとＨＭＩプログラムを格納するとともに、各種処理プログラムを格納する。なお、ＰＬＣプログラムは、射出成形機Ｍにおける各種工程のシーケンス動作や射出成形機Ｍの監視等を実現するためのソフトウェアであり、ＨＭＩプログラムは、射出成形機Ｍの動作パラメータの設定及び表示，射出成形機Ｍの動作監視データの表示等を実現するためのソフトウェアである。これらのソフトウェアは、コントローラ２０を搭載する射出成形機Ｍの固有アーキテクチャとして構築され、特に、本実施例に係るシステムパラメータ設定方法の処理を実行することができる。
【００１４】
次に、本実施例に係るシステムパラメータ設定方法について、図２〜図６を参照しつつ図１に示すフローチャートに従って説明する。
【００１５】
図４は、ディスプレイ２に表示された型開閉画面Ｖａ上にパスワードの第一入力ウィンドウＷｉが表示された状態を示している。今、ディスプレイ２には、通常の型開閉画面Ｖａのみが表示されているものとする。したがって、第一入力ウィンドウＷｉは表示されていない。なお、型開閉画面Ｖａは便宜上例示するにすぎず、表示される画面Ｖａ…の種類は問わない。
【００１６】
まず、型開閉画面Ｖａの概要について説明する。この型開閉画面Ｖａは、型締工程における各種条件を設定する設定画面の一つである。型開閉画面Ｖａの上段と下段には、各種画面Ｖａ…を切換える画面項目毎に設けた複数の画面切換キーＫ１，Ｋ２…を表示する。この画面切換キーＫ１…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２，トレンド画面切換キーＫ１３を有する第二のグループＧｂを横一列に配する。
【００１７】
各画面切換キーＫ１…は、型開閉画面Ｖａを他の画面に切換えた場合でも同様に表示される。例えば、図２は、工程監視画面切換キーＫ９を選択した場合の工程監視画面Ｖｂの概要を示すが、各画面切換キーＫ１…は、図４に示す型開閉画面Ｖａと同じ位置に同じ形状で表示される。なお、図４に表示される第二のグループＧｂは、第一階層が表示された状態であるが、画面右端の階層画面切換キーＫｃをタッチすることにより、第二階層における履歴画面切換キー，プログラム画面切換キー，信号レコーダ画面切換キー，診断画面切換キー等が、画面切換キーＫ８〜Ｋ１３と入れ替わる形で同様に表示される。また、コントローラ２０は、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００１８】
そして、この型開閉画面Ｖａから、ユーザがシステムパラメータを変更する場合について説明する、なお、システムパラメータは、本来、ユーザが変更できないものであるが、ユーザが変更する場合としては、例えば、射出成形機Ｍに不具合を生じた際に、ユーザがサービスステーションに電話をし、電話を通してサービンマンから変更の指示を受けた場合などが考えられる。
【００１９】
この場合、まず、ユーザは、型開閉画面Ｖａの右上に隠れているシステムキーＫｍをダブルタッチする（ステップＳ１）。このシステムキーＫｍは、画面上に表示されていないため、位置を確認して画面上をダブルタッチすればよい。これにより、型開閉画面Ｖａ上には、パスワードを入力するための図４に示す第一入力ウィンドウＷｉが表示される（ステップＳ２）。この第一入力ウィンドウＷｉには、パスワード入力欄５０，ＯＫキーＫｏ及びキャンセルキーＫｃａを有する。なお、パスワードはサービンマンから取得し、ユーザは、第一入力ウィンドウＷｉに表示されるメッセージに従って、パスワード入力欄５０にパスワードを入力する（ステップＳ３）。パスワードは、第一入力ウィンドウＷｉと同時に表示されるキーボード（不図示）から入力することができる。パスワードを入力したなら、誤りがないか否かを確認し、正しく入力されたならＯＫキーＫｏをタッチする。これにより、図５に示すシステム画面Ｖｓが表示される（ステップＳ４，Ｓ５）。
【００２０】
このような表示方法を採ることにより、通常時において、たとえ、ユーザが誤ってシステムキーＫｏをダブルタッチし、第一入力ウィンドウＷｉが表示されたとしても、ユーザはパスワードを取得していないため、システム画面Ｖｓを表示させることができない（ステップＳ４）。
【００２１】
一方、図５に示すシステム画面Ｖｓの内容は次のようになる。まず、システムパラメータ（射出成形機Ｍの基本状態を決定するパラメータ）の全部又は一部を異なる複数のグループＧｘ…に分類する。そして、各パラメータを設定するための設定キーＫｓ…を、分類したグループＧｘ…の単位でシステム画面Ｖｓに表示する。即ち、組立調整に係わるグループＧｘ，機械仕様に係わるグループＧｙ及び動作設定に係わるグループＧｚに分類し、組立調整に係わるグループＧｘに含まれる複数の設定キーＫｓ…は、システム画面Ｖｓの第一表示部５１に表示するとともに、機械仕様に係わるグループＧｙに含まれる複数の設定キーＫｓ…は、第二表示部５２に表示し、さらに、動作設定に係わるグループＧｚに含まれる複数の設定キーＫｓ…は第三表示部５３に表示する。
【００２２】
この場合、機械仕様に係わるグループＧｙに含まれるシステムパラメータには、ロードセルの使用有無設定，組立調整速度設定，速度指令極性設定，原点補正，エンコーダ極性設定，トルク指令オフセット設定等がある。また、機械仕様に係わるグループＧｙに含まれるシステムパラメータには、プーリ歯数設定，エンコーダの種類選択，エンコーダパルス数設定，定格回転数設定，ボールネジ・リード設定等がある。さらに、動作設定に係わるグループＧｚに含まれるシステムパラメータには、速度ループゲイン設定，位置ループゲイン設定，速度積分時定数設定等がある。このようなグループＧｘ…は、パラメータの属性やメンテナンス等を考慮して分類することができ、数多いシステムパラメータがグループ化することにより、メンテナンス性を向上させることができる。
【００２３】
一方、これらのグループＧｘ，Ｇｙ，Ｇｚは、重要度に応じてランク分けし、各ランクに対する許可の条件を異ならせる。実施例の場合、組立調整に係わるグループＧｘと機械仕様に係わるグループＧｙに対しては二回のパスワード入力を条件とし、かつ動作設定に係わるグループＧｚに対しては一回のパスワード入力を条件として、設定キーＫｓ…による設定を許可する。以下、これらの処理について具体的に説明する。
【００２４】
まず、比較的低ランクとなる動作設定に係わるグループＧｚに含まれる設定キーＫｓにより設定（変更）する場合を想定する。この場合、システム画面Ｖｓの第三表示部５３には、設定のグループを選択する四つの設定キー（選択キー）Ｋｓ…が表示されている。今、選択キーＫｓｃをタッチしたものとする（ステップＳ６，Ｓ７）。これにより、図６に示すサブウィンドウＷｓが表示される（ステップＳ８）。このサブウィンドウＷｓには、実際に設定を行うための設定キーＫｓ…、即ち、前述した速度ループゲイン設定，位置ループゲイン設定，速度積分時定数設定等に係わる計六の設定キーＫｓ…が表示されている。したがって、例えば、設定キーＫｓｖをタッチすることにより、速度ループゲインを設定することができる（ステップＳ９，Ｓ１０）。なお、ＫｅはＥＸＩＴキーである。このように、比較的低ランクとなる動作設定に係わるグループＧｚに含まれる設定キーＫｓは、第一入力ウィンドウＷｉによる一回のパスワード入力を条件に設定キーＫｓ…による設定が許可される。
【００２５】
次に、比較的高ランクとなる組立調整に係わるグループＧｘ（機械仕様に係わるグループＧｙも同じ）に含まれる設定キーＫｓにより設定（変更）する場合を想定する。この場合、システム画面Ｖｓの第一表示部５１には、実際に設定を行うための設定キーＫｓ…、即ち、前述したロードセルの使用有無設定，組立調整速度設定，速度指令極性設定，原点補正等に係わる計十五の設定キーＫｓ…が表示されている。今、ロードセルの使用有無設定を変更するため、設定キーＫｓｒをタッチしたものとする（ステップＳ１１）。これにより、図５に示すシステム画面Ｖｓ上に、前述した第一入力ウィンドウＷｉと同一形態の第二入力ウィンドウＷｊ（図４参照：図５には不図示）が表示される（ステップＳ１２）。したがって、ユーザは、第二入力ウィンドウＷｊに表示されるメッセージに従って、パスワード入力欄５０にパスワードを入力する（ステップＳ１３）。この二回目のパスワードは、一回目のパスワードと異ならせることが望ましいが、同一であってもよい。パスワードを入力したなら、誤りがないか否かを確認し、正しく入力されたならＯＫキーＫｏをタッチする。これにより、第二入力ウィンドウＷｊは閉じられ、設定キーＫｓｒが有効になる（ステップＳ１４，Ｓ１５）。即ち、設定キーＫｓｒによる設定が許可され、この設定キーＫｓｒによりロードセルの使用有無の設定変更を行うことができる（ステップＳ１６，Ｓ１７）。
【００２６】
このように、特に、比較的高ランクの組立調整に係わるグループＧｘ（又は機械仕様に係わるグループＧｙ）に含まれる設定キーＫｓ…については、第一入力ウィンドウＷｉと第二入力ウィンドウＷｊによる二回のパスワード入力を条件に設定キーＫｓ…による設定が許可されるため、ユーザによる安易な操作が防止され、システムパラメータの保護が図られることにより、無用なトラブルを回避することができる。
【００２７】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、グループに分類するシステムパラメータは、射出成形機における全部を対象とすることが望ましいが、必要により一部であってもよい。また、グループは三つのグループに分類した場合を示したが、二つでもよいし四つ以上であってもよい。さらに、高低の二つのランクに分けた場合を示したが、三つ以上であってもよい。この場合、重要度に応じて三回以上のパスワード入力を条件とすることができる。この際のパスワードは異ならせてもよいし同一であってもよい。一方、各グループＧｘ…又は各ランクに対応した複数のパスワードを用意し、任意のパスワードの入力を条件に、当該任意のパスワードに対応したグループＧｘ…又はランクに対する設定を許可することができ、この方法も、各ランク（各グループＧｂ…）に対する許可の条件を異ならせる一態様に含まれる。また、実施例では、サブウィンドウＷｓを利用した場合を示したが、このサブウィンドウＷｓを利用するか否かは任意であり、サブウィンドウＷｓに表示する設定キーＫｓ…をシステム画面Ｖｓの第三表示部５３に表示してももちろんよい。なお、本発明における「設定」の概念は、新規の設定をはじめ、変更，調整，削除等の各種処理を含む概念である。
【００２８】
【発明の効果】
このように、本発明に係る射出成形機のシステムパラメータ設定方法は、システムパラメータの全部又は一部を異なる複数のグループに分類し、各パラメータを設定するための設定キーを、分類したグループの単位で画面に表示するとともに、パスワードの入力を条件に設定キーによる設定を許可するようにしたため、次のような顕著な効果を奏する。
【００２９】
（１）  システムパラメータの設定をディスプレイに表示される画面上で行う場合でも、ユーザによる安易な操作が防止されるため、システムパラメータの保護が図られることにより、無用なトラブルを回避することができる。
【００３０】
（２）  数多いシステムパラメータが属性やメンテナンス等を考慮して分類（グループ化）されるため、メンテナンス性を向上させることができる。
【００３１】
（３）  好適な実施の形態により、グループを重要度に応じてランク分けし、各ランクに対する許可の条件を異ならせれば、システムパラメータの重要度の高いものは、より保護が強化されるとともに、重要度の低いものは、設定の容易性等が考慮されるため、信頼性及び使い勝手の双方を高めることができる。
【図面の簡単な説明】
【図１】本発明の好適な実施例に係るシステムパラメータ設定方法の処理手順を示すフローチャート、
【図２】同システムパラメータ設定方法を実施できる射出成形機の概要図、
【図３】同射出成形機に備えるコントローラの機能ブロック図、
【図４】同システムパラメータ設定方法に用いる入力ウィンドウを表示した型開閉画面図、
【図５】同システムパラメータ設定方法に用いるシステム画面図、
【図６】同システムパラメータ設定方法に用いる調整ウィンドウの画像図、
【符号の説明】
Ｍ      射出成形機
Ｇｘ…  グループ
Ｋｓ…  設定キー
Ｖｓ    画面（システム画面）
Ｗｊ    入力ウィンドウ
【図１】
2004155066.tif 000003
【図２】
2004155066.tif 000004
【図３】
2004155066.tif 000005
【図４】
2004155066.tif 000006
【図５】
2004155066.tif 000007
【図６】
2004155066.tif 000008